(57)【特許請求の範囲】
【請求項１】
釣り糸が内部を挿通する中通し竿用穂先竿であって、
内部に釣り糸経路を有する竿本体と、
前記釣り糸経路の内面の少なくとも穂先側に配置され断面台形状で内周側角部に弧状部を有する釣り糸支持部と、
前記竿本体の穂先側に配置された筒状のガイド本体と、前記ガイド本体の内面に装着され断面半円状であり曲率半径が前記弧状部の曲率半径より大きい円弧部を有し最も竿本体側の内径が前記釣り糸支持部の内径より小さい１又は複数のガイドリングとを有するトップガイドと、
を備えた中通し竿用穂先竿。
【請求項２】
前記釣り糸支持部は螺旋状に形成されている、請求項１に記載の中通し竿用穂先竿。
【請求項３】
前記釣り糸支持部は、断面台形状の外周辺の幅が０．６〜１．２ｍｍ，断面台形状の高さが０．２〜０．６ｍｍである、請求項１又は２に記載の中通し竿用穂先竿。
【請求項４】
前記ガイド本体は、
穂先側に前記竿本体と一体で肉厚が前記竿本体より厚く形成された筒部と、
前記筒部の内面に配置され前記釣り糸支持部に連続する先端釣り糸支持部と、
前記筒部の開口端部の内面に嵌合される嵌合筒部と、
前記嵌合筒部の内面に螺合され内面が穂先側に向かって広がるテーパ形状のガイド筒部とを有し、
前記ガイドリングは前記ガイド筒部の内面に装着されている、請求項１から３のいずれかに記載の中通し竿用穂先竿。
【請求項５】
前記ガイド本体は、
前記竿本体の穂先側外周に嵌め込まれ外面が穂先側に向かって広がるテーパ形状の樹脂製筒部と、
前記筒部の穂先側内面に配置され穂先側が手元側より内径が大きい２段の段部とを有し、
前記ガイドリングは２つでありそれぞれの段部に装着され、手元側のガイドリングの内径は前記釣り糸支持部の内径より小さく穂先側のガイドリングの内径は前記釣り糸支持部の内径より大きい、請求項１から３のいずれかに記載の中通し竿用穂先竿。
【請求項６】
前記穂先側のガイドリングは前記段部の内面から端面にわたって装着されている、請求項５に記載の中通し竿用穂先竿。
【請求項７】
前記ガイド本体は、
穂先側に前記竿本体と一体で肉厚が前記竿本体より厚く成形された筒部と、
前記筒部の内面に配置され前記釣り糸支持部に連続する先端釣り糸支持部と、
前記筒部の開口端部の内面に形成された段部とを有し、
前記ガイドリングは前記段部に直に装着されている、請求項１から３のいずれかに記載の中通し竿用穂先竿。
【請求項８】
前記ガイドリングは、サーメットセラミックス製である、請求項１から７のいずれかに記載の中通し竿用穂先竿。
【発明の詳細な説明】
【０００１】
【発明の属する技術分野】
本発明は、穂先竿、特に、釣り糸が内部を挿通する中通し竿用穂先竿に関する。
【０００２】
【従来の技術】
中通し竿においては、釣り糸の繰り出し及び巻き取りの際に、竿体の内部に設けられた釣り糸経路を釣り糸が通過する。釣り糸は竿体の先端から外部に延びる。このような中通し竿では、釣り糸経路を釣り糸が通過するときに釣り糸が釣り糸経路の内面に接触して摺動抵抗を受けることになり、この摺動抵抗が大きい場合には釣り糸の繰り出しや巻き取りをスムーズに行いにくい。また、竿体の先端で釣り糸の方向が変わるので、竿体先端の角部で釣り糸が擦られて切れたり弱くなったりし易い。
【０００３】
そこで、釣り糸経路での摺動抵抗を少なくするために、釣り糸経路に螺旋状の凹凸を形成し、その凸部を釣り糸支持部として利用したものが知られている（実公平５−８８２５９号公報）。この技術では、釣り糸支持部である螺旋状の凸部が竿体と同じ材料で成形されており、凸部が竿体から離れがたく耐久性に優れたものになる。また、凸部の先端面にはある程度の面積があるので釣り糸との接触面積が適度にあり、凸部及び釣り糸に課題な接触応力が発生するのを防止できる。
【０００４】
また、竿体先端での釣り糸を保護するために、竿体先端にトップガイドが設けられている。トップガイドは、金属等からなり穂先に向けて広がるテーパ形状の管体と、管体の内面に装着された摩擦係数の小さなセラミックスなどからなる保護リングとを有している。この管体は穂先竿の穂先外周に嵌合により固定されている。このトップガイドでは、保護リングが釣り糸を滑らかに案内して、釣り糸が切れたり弱くなったりするのを防いでいる。
【０００５】
トップガイドの具体的技術が、特開平４−１１７２３２号公報に開示されている。この技術は、トップガイドの先端内面に配置された保護リングの断面の曲率半径を竿体先端の半径と同等以上に形成しておくことによって、釣り糸が通過する際の抵抗を減少させる。
【０００６】
【発明が解決しようとする課題】
前記２つの従来技術を組み合わせることで、釣り糸経路及びトップガイドでの釣り糸に対する接触抵抗を減少でき、釣り糸の保護とスムーズな釣り糸の移動とを実現できる。
しかしながら、前記従来技術を組み合わせる際に後者の技術では、トップガイドの保護リングの内径が竿本体の内径より大きいので、竿本体の内面に形成された先端の凸部に接触するという問題がある。この凸部は前者の技術ではマンドレルに矩形断面のテープを巻き付けることで形成しているので、矩形断面になる。このため、２つの従来技術を組み合わせると、穂先側の凸部に釣り糸が接触して釣り糸が擦り切れたり釣り糸の通過抵抗が大きくなるおそれがある。
【０００７】
本発明の課題は、凸状の釣り糸支持部を有する竿本体の先端にトップガイドを装着した中通し竿用穂先竿において、竿本体の穂先側での釣り糸と釣り糸支持部との接触を減少させ、釣り糸の通過抵抗を低減しかつ釣り糸の保護を十分に行えるようにすることにある。
【０００８】
【課題を解決するための手段】
発明１に係る中通し竿用穂先竿は、釣り糸が内部を挿通する中通し竿用の竿であって、竿本体と、釣り糸支持部と、トップガイドとを備えている。竿本体は、内部に釣り糸通路を有している。釣り糸支持部は、釣り糸通路の内面の少なくとも穂先側の一部に配置され断面台形状で内周側角部に弧状部を有している。トップガイドは、竿本体の穂先側に配置された筒状のガイド本体と、ガイド本体の内面に装着され断面半円状であり曲率半径が前記弧状部の曲率半径より大きい円弧部を有し最も竿本体側の内径が釣り糸支持部の内径より小さい１又は複数のガイドリングとを有している。
【０００９】
ここでは、竿本体内では台形断面の釣り糸支持部の内周辺に接触するので過大な応力で釣り糸が損傷するのを防げる。また、竿本体側のガイドリングの内径が釣り糸支持部の内径より小さいので、穂先側の釣り糸支持部に釣り糸が接触しにくくなり、釣り糸が竿本体の穂先側で傷つきにくくなる。また、接触しても釣り糸支持部が弧状部を有しているので通過抵抗が少なく釣り糸が傷つきにくくなる。さらに、ガイドリングの円弧部の曲率半径が釣り糸支持部の弧状部の曲率半径より大きいので、釣り糸が通過する際の抵抗を減少できる。
【００１０】
発明に２に係る中通し用穂先竿は、発明１に記載の竿において、釣り糸支持部は螺旋状に形成されているので、製造が容易である。また、釣り糸支持部を竿本体と一体で形成できるので、釣り糸支持部が竿本体から剥がれにくくなり釣り糸支持部が損傷しにくい。
発明３に係る中通し竿用穂先竿は、請求項１又は２に記載の竿において、釣り糸支持部は、断面台形状の外周辺の幅が０．６〜１．２ｍｍ，高さが０．２〜０．６ｍｍであるので、釣り竿支持部と竿本体との連結部分の面積が適度に確保され、釣り糸支持部の強度及び耐久性が向上するとともに、釣り糸経路の内面から適度の間隔をあけて釣り糸を良好に支持できる。
【００１１】
ここで、外側辺の幅が狭すぎれば、釣り糸支持部の強度および耐久性が低下する。逆に広すぎるとそれに伴って断面台形状の内周辺の幅が増えるので、釣り糸との接触抵抗が増えて釣り糸がスムーズに移動しにくくなる。断面台形状の高さが高すぎると、釣り糸経路の内部空間が狭くなって釣り糸の通過が行い難くなる。高さが低すぎると、濡れた釣り糸が通過すると釣り糸支持部間の釣り糸経路の内面と釣り糸との間に水分が溜まって釣り糸の移動に対して抵抗力が生じ釣り糸がスムーズに移動しにくくなる。また、濡れていなくても釣り糸が触れると釣り糸経路の内面に接触しやすくなり、釣り糸に対する抵抗力が増加する。
【００１２】
発明４に係る中通し竿用穂先竿は、発明１から３のいずれかに記載の釣り竿において、ガイド本体が、穂先側に竿本体と一体で肉厚が竿本体より厚く形成された筒部と、筒部の内面に配置され釣り糸支持部に連続する先端釣り糸支持部と、筒部の開口端部の内面に嵌合される嵌合筒部と、嵌合筒部の内面に螺合され内面が穂先側に向かって広がるテーパ形状のガイド筒部とを有し、ガイドリングがガイド筒部の内面に装着されている。
【００１３】
ここでは、竿本体と一体で形成された筒部に嵌合筒部を介してガイドリングを装着したガイド筒部が螺合されているので、ガイドリングが損傷してもその部分だけを交換できる。
発明５に係る中通し竿用穂先竿は、発明１から３のいずれかに記載の釣り竿において、ガイド本体は、竿本体の穂先側外周に嵌め込まれ外面が穂先側に向かって広がるテーパ形状の樹脂製の筒部と、筒部の穂先側内面に配置され穂先側が手元側より内径が大きい２段の段部とを有し、ガイドリングは２つでありそれぞれの段部に装着され、手元側のガイドリングの内径は釣り糸支持部の内径より小さく穂先側のガイドリングの内径は釣り糸支持部の内径より大きい。
【００１４】
ここでは、筒部が樹脂製であるので、トップガイドの軽量化を図れる。また、筒部の先端にもガイドリングを配置したので釣り糸が筒部に接触しにくく樹脂製であっても筒部が損傷しにくい。さらに、外形がテーパ形状であるので釣り糸が絡みにくい。
発明６に係る中通し竿用穂先竿は、発明５に記載の釣り竿において、穂先側のガイドリングは段部の内面から端面にわたって装着されているので、樹脂製の筒部に釣り糸がより接触しにくくなり、筒部が損傷しにくくなる。
【００１５】
発明７に係る中通し竿用穂先竿は、発明１から３のいずれかに記載の釣り竿において、ガイド本体が、穂先側に竿本体と一体で肉厚が竿本体より厚く成形された筒部と、筒部の内面に配置され釣り糸支持部に連続する先端釣り糸支持部と、筒部の開口端部の内面に形成された段部とを有し、ガイドリングが段部に直に装着されている。
【００１６】
ここでは、ガイド本体が竿本体と一体で形成されているので、トップガイドの外径が竿本体に比べてあまり大きくならず釣り糸が絡みにくい。
発明８に係る中通し竿用穂先竿は、発明１から７のいずれかに記載の釣り竿において、ガイドリングは、サーメットセラミックス製であるので、表面が滑らかで摩擦係数が低くなり耐久性も高くなる。このため、釣り糸の抵抗を削減しかつトップガイドの耐久性を高めることができる。
【００１７】
【発明の実施の形態】
図１に示す本発明の一実施形態を採用した中通し竿１０は、振出竿であり、グリップ部Ｇを有する元竿１２と、元竿１２の先端側に連結された中間竿１３と、中間竿１３の先端側に連結された穂先竿１４とを有している。
元竿１２のグリップ部Ｇの近傍には、釣り糸３０を巻回するリール２０が装着されている。元竿１２、中間竿１３及び穂先竿１４はそれぞれ緩円錐状であり、元竿１２の先端部分には釣り糸３０の釣り糸導入口１６が形成されている。また、穂先竿１４の先端には管状のトップガイド１８が装着されている。リール２０から引き出された釣り糸３０は、釣り糸導入口１６から元竿１２の内部に入り、トップガイド１８から外部に引き出される。
【００１８】
図２及び図６に示すように、穂先竿１４は、筒状の竿本体１４Ａと、竿本体１４Ａの内部に形成された釣り糸通路１５ａと、竿本体１４Ａの先端に設けられたトップガイド１８とを有している。釣り糸通路１５ａの内面には螺旋状の釣り糸支持部４０が竿本体１４Ａと一体に成形されている。竿本体１４Ａは、図３に拡大して示すように、釣り糸支持部４０が形成された第１層１４ａと、第１層１４ａの外周に順次積層された第２層１４ｂ、第３層１４ｃ及び第４層１４ｄとを有している。釣り糸支持部４０及び各層１４ａ〜１４ｄは、内部に多数の強化繊維４４が埋め込まれたプリプレグから形成されている。そして、釣り糸支持部４０、第１層１４ａ及び第４層１４ｄにおいては強化繊維は周方向に配向され、第２層１４ｂ及び第３層１４ｃにおいては強化繊維は軸方向に配向されている。なお、釣り糸支持部４０における強化繊維４４は、撚糸からなり、チラノ繊維（ＳＩＣ繊維）と呼ばれる繊維が用いられる。このチラノ繊維は、Ｓｉ、Ｃ、Ｏ元素を主成分としてＴｉ、Ｂ、Ｎ元素を含んでいる。この繊維を、繊維径８．５μｍで０．８Ｋ×４本ヨリ（１６０ターンヨリ）で用いる。また、他の層１４ａ〜１４ｄにおける強化繊維としては、炭素繊維等が用いられる。
【００１９】
図５にさらに拡大して示すように、釣り糸支持部４０は断面台形状をなし、幅の広い外周辺（図５下辺）が釣り糸通路１５ａの内面側に接続され、幅の狭い内周辺（図５上辺）が釣り糸通路１５ａの中心側に突き出している。釣り糸支持部４０の内周辺角部には弧状部４５が設けられている。釣り糸支持部４０の外周辺角部にも弧状部４６が設けられている。
【００２０】
釣り糸支持部４０は、外周辺の幅Ｗ２が０．６〜１．２mmに設定されている。断面台形状であるから、内周辺の幅Ｗ１は外周辺の幅Ｗ２よりも少し小さくなっている。高さＨは０．２〜０．６mmに設定されている。前述のように、釣り糸支持部４０は螺旋状に形成されているが、そのリード角θ（図２参照）は５０°以下に設定されている。内周辺角部の弧状部４５は半径Ｒ１＝０．０５〜２mmの円弧であり、外周辺角部の弧状部４６は半径Ｒ２＝０．０５〜２mmの円弧である。
【００２１】
このような構造の釣り糸支持部４０を竿本体１４Ａに設けるには、前述の実開平５−８８２５９号公報に開示された製造技術が適用できる。この製造工程で、竿本体１４Ａを製造するためのマンドレルに巻回しておく樹脂テープの幅、厚み、巻き付けリード角などの条件、あるいは、プリプレグの特性、プリプレグを構成する合成樹脂と強化繊維の特性などを調整することで、釣り糸支持部４０の台形の形状構造が形成される。
【００２２】
中間竿１３は、図４に拡大して示すように、５層となっている。なお、元竿１２も基本的な構造は図４に示す構造と同様である。
この中間竿１３は、穂先竿１４と同様に、内部には釣り糸通路１５ｂを有している。最も内側の第１層１３ａの壁面、すなわち釣り糸通路１５ｂの壁面は平滑面であり、凸状の釣り糸支持部は形成されていない。この第１層１３ａの外周には、第２層１３ｂ、第３層１３ｃ、第４層１３ｄ及び第５層１３ｅが順次積層されている。各層１３ａ〜１３ｅは、内部に多数の強化繊維が埋め込まれたプリプレグから形成されている。そして、第１層１３ａ及び第５層１３ｅにおいては強化繊維は周方向に配向され、第２層１３ｂ、第３層１３ｃ及び第４層１３ｄにおいては強化繊維４４は軸方向に配向されている。
【００２３】
図６に示すように、トップガイド１８は、穂先竿１４の竿本体１４Ａの先端に一体で形成された厚肉筒部５１と、厚肉筒部５１の先端内周面に嵌合される嵌合筒部５２と、嵌合筒部５２の先端内周面に螺合されるガイド筒部５３と、ガイド筒部５３の内周面に嵌め込まれたガイドリング５４とを有している。
厚肉筒部５１は、竿本体１４Ａとなるプリプレグの先端部外周面にプリプレグを複数層巻重ねて成形することで竿本体１４Ａと一体に形成されている。厚肉筒部５１の内面にも釣り糸支持部４０が形成されている。厚肉筒部５１の先端内面にはリーマ加工された段部５１ａが形成されており、この段部５１ａに嵌合筒部５２が嵌め込まれ接着されている。
【００２４】
嵌合筒部５２の先端内面には雌ネジ部５２ａが形成されており、この雌ネジ部５２ａにガイド筒部５３が螺合されている。この結果、ガイド筒部５３は嵌合筒部５２に対して着脱自在である。ガイド筒部５３は、内面に穂先側に向かって広がるテーパ部５３ａと、テーパ部５３ａの内周側に形成された段部５３ｂとを有している。この段部５３ｂにガイドリング５４が装着されている。
【００２５】
ガイドリング５４は、サーメットセラミックスの成形体からなる。ガイドリング５４の断面形状は、中心側に向けて滑らかに突出した湾曲形状をなしている。ガイドリング５４の先端には円弧部５４ａが形成されており、その曲率半径Ｒ3 は、釣り糸支持部４０の弧状部４５の曲率半径Ｒ1 より大きくなっている。ガイドリング５４の内径Ｄ1 は、穂先竿１４の釣り糸支持部の凸部の内径ｄ0 よりも小さくなっている。
【００２６】
ここでは、竿本体１４Ａと一体で形成された厚肉筒部５１に嵌合筒部５２を介してガイドリング５４を装着したガイド筒部５３が螺合されているので、ガイドリング５４が損傷しても、新たなガイドリング５４を装着したガイド筒部５３だけを交換すればよい。
次に、特に穂先竿１４の製造方法について簡単に説明する。
【００２７】
まず、マンドレルの外周にワックスなどからなる離型剤を塗布し、その上にポリプロピレン樹脂からなる離型用テープを密に巻回する。次に、離型用テープの外周に、成形しようとする釣り糸支持部４０、第１〜４層１４ａ〜１４ｄ及びトップガイド１８の厚肉筒部５１を形成するためのプリプレグを巻回する。なお、釣り糸支持部４０は、前述のように、チラノ繊維を樹脂に含浸させたテープ状プリプレグを所定のピッチで間隔をあけて螺旋状に巻回することによって形成する。また、４層のプリプレグ層１４ａ〜１４ｄ及び厚肉筒部５１は、炭素繊維を樹脂に含浸させてなるプリプレグテープを密に巻回して形成する。
【００２８】
釣り糸支持部４０および最内層のプリプレグ層１４ａは、プリプレグテープとしてテープの長さ方向に強化繊維が配向されたものを用いて巻回して作製されるので、釣り糸支持部４０およびプリプレグ層１４ａの強化繊維の配向は、マンドレルの周方向に沿ったものとなる。また、第２および第３のプリプレグ層１４ｂ，１４ｃについては、強化繊維がテープ幅方向に配向されたプリプレグテープを用いたり、あるいは強化繊維が長手方向に配向されたプリプレグシートを長手方向がマンドレルの軸方向に沿うように巻回したりして作製する。その結果、第２および第３のプリプレグ層１４ｂ，１４ｃは、強化繊維が軸方向に配向された状態になる。
【００２９】
第４のプレプレグ層１４ｄは、第１のプリプレグ層１４ａと同様にして作製する。強化繊維は周方向に配向される。
このようにして釣り糸支持部４０を形成するプリプレグ、４層のプリプレグ層１４ａ〜１４ｄ及び厚肉筒部５１を形成するプリプレグが配置された後、その外周にポリエチレンテレフタレート（ＰＥＴ）やポリプロピレンなどからなる保形用テープ（図示せず）を巻回して、常法により焼成を行う。焼成後に外周の保形用テープを剥離し、内周の離型用テープを取り外せば、図３及び図５に示すような厚肉筒部５１付の竿本体１４Ａが得られる。
【００３０】
ここでは、竿本体１４Ａの内周に断面円形状の釣り糸通路１５ａが形成され、釣り糸通路１５ａの内周面には断面台形状をなす螺旋状の釣り糸支持部４０が形成されるとともに、竿本体１４Ａの先端に一体でトップガイド１８の厚肉筒部５１が形成される。
そして、厚肉筒部５１の先端をリーマ加工して段部５１ａを形成し、そこに別に作成した嵌合筒部５２をはめ込み、さらに嵌合筒部５２に予めガイドリング５４を装着したガイド筒部５３をネジ込むことで、トップガイド１８付の穂先竿１４５が得られる。
【００３１】
このように構成された中通し竿１０では、使用時には、リール２０から繰り出された釣り糸３０が釣り糸導入口１６から釣り糸通路１５ｂ，１５ａを経て、釣り糸支持部４０で支持され、トップガイド１８のガイドリング５４で案内されることになる。
このような構造の中通し竿１０では、水等が付着して摺動抵抗が大きくなりやすい内径の小さな穂先竿１４の内部に釣り糸支持部４０が形成されているので、長期にわたって使用しても、摺動抵抗が大きくなるのを防止できる。
【００３２】
また、中間竿１３および元竿１２の内壁面は平滑面で形成されており、釣り糸支持部は形成されていない。このため、穂先竿１４を中間竿１３に収納する際、および中間竿１３を元竿１２に収納する際に、穂先竿１４および中間竿１３のそれぞれの元竿側端部が衝突する部分がなくなり、収納時の音の発生や端部の損傷を抑えることができる。さらに、中間竿１３および元竿１２の内壁面を構成する層は周方向に強化繊維が配向されている。このため、内壁面が比較的硬くなり、内壁面自体の損傷も少なくなる。したがって、内壁面への竿端部のひっかかりがより少なくなる。
【００３３】
また、ガイドリング５４の内径Ｄ1 が釣り糸支持部４０の最小内径ｄ0 より小さいので、穂先側の釣り糸支持部４０に釣り糸が接触しにくくなり、釣り糸が釣り糸支持部４０の穂先側で傷つきにくくなる。また、接触しても釣り糸支持部４０が弧状部４５を有しているので通過抵抗が少なく釣り糸が傷つきにくくなる。さらに、ガイドリング５４の円弧状部の曲率半径Ｒ3 が釣り糸支持部の弧状部の曲率半径Ｒ1 より大きいので、釣り糸が通過する際の抵抗を減少できる。
【００３４】
〔他の実施形態〕
（ａ）  図７に示すように、トップガイド６８が、竿本体１４Ａの先端外周面に嵌合される嵌合筒部６９と、ガイドリング７０とを有していてもよい。
嵌合筒部６９は、外面が穂先側に向かって広がるテーパ形状の樹脂製の部材であり、その先端内面には穂先側から元竿側に向かって段階的に内径が小さくなる２段の段部６９ａ，６９ｂが形成されている。嵌合筒部６９の先端から段部６９ａの内周面にかけて、穂先側のガイドリング７０が嵌め込まれている。ガイドリング７０は、サーメットセラミックスの成形体からなる。ガイドリング７０は嵌合筒部６９の先端を覆い、ガイドリング７０の先端外周が嵌合筒部６９の外周に一致している。ガイドリング７０の断面形状は、中心側に向けて滑らかに突出した湾曲形状を有している。ガイドリング７０の先端には円弧部７０ａが形成されており、その内径Ｄ3 は、穂先竿１４の釣り糸支持部４０の内径ｄ0 よりも大きくなっている。
【００３５】
嵌合筒部６９の第２の段部６９ｂには、元竿側のガイドリング７１が嵌め込まれている。元竿側のガイドリング７１も穂先側のガイドリング７０と同様な材料からなる。ガイドリング７１の断面形状も、中心側に向けて滑らかに突出した湾曲形状をなしている。ガイドリング７１の先端には円弧部７１ａが形成されており、その曲率半径Ｒ4 は、釣り糸支持部４０の弧状部４５の曲率半径Ｒ1 より大きくなっている。ガイドリング７１の内径Ｄ2 は、釣り糸支持部４０の凸部の内径ｄ0 よりも小さくなっている。
【００３６】
ここでは、嵌合筒部６９が樹脂製であるので、トップガイド６８の軽量化を図れる。また、嵌合筒部６９の先端にもガイドリング７０を配置したので釣り糸が嵌合筒部６９に接触しにくく、樹脂製であっても嵌合筒部６９が損傷しにくい。さらに、嵌合筒部６９の外形がテーパ形状であるので釣り糸が絡みにくい。
（ｂ）  図８に示すように、トップガイド７８が、竿本体１４Ａの先端外周面に一体で成形された厚肉筒部７９と、ガイドリング８０とを有していてもよい。
【００３７】
厚肉筒部７９は、竿本体１４Ａの先端に竿本体１４Ａより厚肉に成形された部材であり、その先端内面には段部７９ａが形成されている。この段部７９ａにガイドリング８０が嵌め込まれている。ガイドリング８０は、サーメットセラミックスの成形体からなる。ガイドリング８０の断面形状は、中心側に向けて滑らかに突出した湾曲形状を有している。ガイドリング８０の先端には円弧部８０ａが形成されており、その曲率半径Ｒ5 は、釣り糸支持部４０の弧状部４５の曲率半径Ｒ1 より大きくなっている。ガイドリング８０の内径Ｄ5 は、釣り糸支持部４０の凸部の内径ｄ0 よりも小さくなっている。
【００３８】
ここでは、厚肉筒部７９が竿本体１４Ａと一体で形成されているので、トップガイド７８の外径が竿本体１４Ａに比べてあまり大きくならず釣り糸が絡みにくい。
（ｃ）  中通し竿１０の構造は、図示した実施形態のほか、通常の中通し竿と同様の構造を適宜に組み合わせて構成することができる。リール２０やグリップ部１２、釣り糸導入口１６などの構造も、通常の中通し竿と同様の構造が採用できる。
【００３９】
（ｄ）  トップガイド１８のうち、嵌合筒部５２及びガイド筒部５３の材料は、従来のトップガイドと同様の材料が用いられ、具体的には金属、合成樹脂、木質材、セラミックスなどが挙げられる。
（ｅ）  ガイドリング５４，７０，７１，８０の材料は、前記したサーメットセラミックスのように、摩擦係数が小さく耐久性に優れた材料が好ましい。サーメットセラミックス以外のセラミックスや金属、合成樹脂も使用できる。
【００４０】
（ｆ）  振出竿に代えて並継式の中通し竿にも本発明を同様に適用にできる。
【００４１】
【発明の効果】
本発明に係る中通し竿用穂先竿では、竿本体内では台形断面の釣り糸支持部の内周辺に接触するので過大な応力で釣り糸が損傷擦るのを防げる。また、竿本体側のガイドリングの内径が釣り糸支持部の内径より小さいので、穂先側の釣り糸支持部に釣り糸が接触しにくくなり、釣り糸が竿本体の穂先側で傷つきにくくなる。また、接触しても釣り糸支持部が弧状部を有しているので通過抵抗が少なく釣り糸が傷つきにくくなる。さらに、ガイドリングの円弧状部の曲率半径が釣り糸支持部の弧状部の曲率半径より大きいので、釣り糸が通過する際の抵抗を減少できる。
【図面の簡単な説明】
【図１】本発明の一実施形態を採用した中通し竿の側面図。
【図２】穂先竿の断面拡大図。
【図３】穂先竿の断面拡大部分図。
【図４】中間竿の断面拡大部分図。
【図５】釣り糸支持部の断面拡大図。
【図６】トップガイドの断面拡大図。
【図７】他の実施形態の図６に相当する図。
【図８】他の実施形態の図６に相当する図。
【符号の説明】
１０  中通し竿
１４  穂先竿
１４Ａ  竿本体
１５ａ，１５ｂ  釣り糸通路
１８，６８，７８  トップガイド
３０  釣り糸
４０  釣り糸支持部
４５  弧状部
５１，７９  厚肉筒部
５２，６９  嵌合筒部
５３  ガイド筒部
５３ａ，６９ａ，６９ｂ，７９ａ  段部
５４，７０，７１，８０  ガイドリング
５４ａ，７０ａ，７１ａ，８０ａ  円弧部
【図１】
0003638364.tif 000002
【図２】
0003638364.tif 000003
【図３】
0003638364.tif 000004
【図４】
0003638364.tif 000005
【図５】
0003638364.tif 000006
【図６】
0003638364.tif 000007
【図７】
0003638364.tif 000008
【図８】
0003638364.tif 000009